【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
外部と非接触で交信してデータの記憶および更新を行うためのアンテナとＩＣをカード本体に備える非接触ＩＣカードにおいて、
磁気データを記録する磁気媒体層と、
前記磁気媒体層上に形成され、前記磁気媒体層に記録される磁気データに応じて目視データを表示可能な表示領域と、を有し、
前記磁気媒体層に記録される磁気データは前記磁気媒体層の一方側面のみから書き込み可能であることを特徴とする非接触ＩＣカード。
【請求項２】
前記磁気媒体層に記録される磁気データは読み出し可能であって、前記磁気媒体層が、少なくとも前記カード本体の表面および裏面を判別可能にする方向判別データに対応する磁気データを記録する方向判別データ用記録領域を有することを特徴とする請求項１に記載の非接触ＩＣカード。
【請求項３】
前記磁気媒体層が、前記方向判別データ用記録領域とは異なる領域に、前記表示領域に表示される目視データに対応する磁気データを記録する目視データ用記録領域を有することを特徴とする請求項２に記載の非接触ＩＣカード。
【請求項４】
前記方向判別データが、前記カード本体の方向も判別可能とすることを特徴とする請求項２または請求項３に記載の非接触ＩＣカード。
【請求項５】
前記アンテナとＩＣは、前記カード本体内又は前記磁気媒体層側と反対側のカード本体面に設ける構成である請求項１〜４のいずれか１つに記載の非接触ＩＣカード。
【請求項６】
前記表示領域を、カードの周囲部に形成する請求項１〜５のいずれか１つに記載の非接触ＩＣカード。
【請求項７】
外部と非接触で交信してデータの記憶および更新を行うためのアンテナとＩＣを備え、磁気データを記録する磁気媒体層と、前記磁気媒体層上に形成され、前記磁気媒体層に記録される磁気データに応じて目視データを表示可能な表示領域とを有し、前記磁気媒体層に記録される磁気データは前記磁気媒体層の一方側面のみから読み出し及び書き込み可能である非接触ＩＣカードを処理対象とし、
搬送経路に沿って搬送する搬送手段と、
前記搬送経路上の非接触ＩＣカードに対して、前記表示領域に対応する前記磁気媒体層の磁気データに応じて前記表示領域に目視データの表示処理を行う目視データ処理手段と、
を有する非接触ＩＣカード処理装置において、
前記搬送経路上の非接触ＩＣカードの磁気媒体層に基づいて、前記非接触ＩＣカードの表面および裏面を判別して、前記非接触ＩＣカードが前記目視データ処理手段に対して正しい搬送状態にあるか否かを判断するカード方向判別手段を備え、
前記目視データ処理手段が、前記カード方向判別手段で正しい搬送状態にあると判断された非接触ＩＣカードに対してのみ目視データの表示処理を行う構成としたことを特徴とする非接触ＩＣカード処理装置。
【請求項８】
前記カード方向判別手段は、前記非接触ＩＣカードの磁気媒体層に記録される前記非接触ＩＣカードの少なくとも表面および裏面を判別可能にする方向判別データに対応する磁気データを検出する磁気ヘッドを有し、該磁気ヘッドで前記方向判別データに対応する磁気データが検出されたときに前記非接触ＩＣカードが正しい状態で搬送されていると判断し、前記方向判別データに対応する磁気データが検出されないときに前記非接触ＩＣカードが誤った状態で搬送されていると判断することを特徴とする請求項７に記載の非接触ＩＣカード処理装置。
【請求項９】
前記磁気媒体層の前記方向判別データに対応する磁気データを記録する方向判別データ用記録領域と前記目視データに対応する磁気データを記録する目視データ用記録領域とが前記非接触ＩＣカードの搬送経路に沿った同一領域内にあるときには、
前記カード方向判別手段と前記目視データ処理手段とは兼用されることを特徴とする請求項８に記載の非接触ＩＣカード処理装置。
【請求項１０】
前記磁気媒体層は情報データに対応する磁気データをさらに記録し、前記磁気媒体層に対して前記情報データに対応する磁気データの処理を行う情報データ処理手段を含むことを特徴とする請求項７または請求項８に記載の非接触ＩＣカード処理装置。
【請求項１１】
前記磁気媒体層の前記方向判別データに対応する磁気データを記録する方向判別データ用記録領域と前記情報データに対応する磁気データを記録する情報データ用記録領域とが前記非接触ＩＣカードの搬送経路に沿った同一領域内にあるときには、
前記カード方向判別手段と前記情報データ処理手段とは兼用されることを特徴とする請求項１０に記載の非接触ＩＣカード処理装置。
【請求項１２】
前記搬送経路上の非接触ＩＣカードに対して、前記ＩＣに記憶された記憶データの処理を非接触で行う記憶データ処理手段を備え、前記目視データ処理手段が、前記記憶データ処理手段で処理された記憶データに応じて目視データの表示処理を行う構成としたことを特徴とする請求項７〜請求項１１のいずれか１つに記載の非接触ＩＣカード処理装置。
【請求項１３】
前記搬送手段によって搬送される前記非接触ＩＣカードを回収するカード回収手段を備えて構成されたことを特徴とする請求項７〜請求項１２のいずれか１つに記載の非接触ＩＣカード処理装置。
【請求項１４】
発行前の非接触ＩＣカードを前記搬送手段に供給するカード供給手段を備えて構成されたことを特徴とする請求項７〜請求項１３のいずれか１つに記載の非接触ＩＣカード処理装置。
【手続補正２】
【補正対象書類名】明細書
【補正対象項目名】００１３
【補正方法】変更
【補正の内容】
【００１３】
【課題を解決するための手段】
上記の目的を達成するため、本発明の非接触ＩＣカードは、外部と非接触で交信してデータの記憶および更新を行うためのアンテナとＩＣをカード本体に備える非接触ＩＣカードにおいて、磁気データを記録する磁気媒体層と、前記磁気媒体層上に形成され、前記磁気媒体層に記録される磁気データに応じて目視データを表示可能な表示領域と、を有し、前記磁気媒体層に記録される磁気データは前記磁気媒体層の一方側面のみから書き込み可能であることを特徴とするものである。


【手続補正３】
【補正対象書類名】明細書
【補正対象項目名】００１５
【補正方法】変更
【補正の内容】
【００１５】
また、前記非接触ＩＣカードは、前記磁気媒体層に記録される磁気データは読み出し可能であって、前記磁気媒体層が、少なくとも前記カード本体の表面および裏面を判別可能にする方向判別データに対応する磁気データを記録する方向判別データ用記録領域を有するものとし、さらには、方向判別データがカード本体の方向も判別可能とするものであってもよい。


【手続補正４】
【補正対象書類名】明細書
【補正対象項目名】００１７
【補正方法】変更
【補正の内容】
【００１７】
また、前記磁気媒体層が、前記方向判別データ用記録領域とは異なる領域に、前記表示領域に表示される目視データに対応する磁気データを記録する目視データ用記録領域を有するようにしてもよい。
また、前記アンテナとＩＣは、前記カード本体内又は前記磁気媒体層側と反対側のカード本体表面に設ける構成としてもよい。
また、前記表示領域を、カードの周囲部に形成してもよい。
【手続補正５】
【補正対象書類名】明細書
【補正対象項目名】００１８
【補正方法】変更
【補正の内容】
【００１８】
本発明の非接触ＩＣカード処理装置は、外部と非接触で交信してデータの記憶および更新を行うためのアンテナとＩＣを備え、内部の磁気状態に応じた磁気データを記録する磁気媒体層と、前記磁気媒体層上に形成され、前記磁気媒体層に記録される磁気データに応じて目視データを表示可能な表示領域とを有し、前記磁気媒体層に記録される磁気データは前記磁気媒体層の一方側面のみから読み出し及び書き込み可能である非接触ＩＣカードを処理対象とし、搬送経路に沿って搬送する搬送手段と、前記搬送経路上の非接触ＩＣカードに対して、前記表示領域に対応する前記磁気媒体層の磁気データに応じて前記表示領域に目視データの表示処理を行う目視データ処理手段と、を有する非接触ＩＣカード処理装置において、前記搬送経路上の非接触ＩＣカードの磁気媒体層に基づいて、前記非接触ＩＣカードの表面および裏面を判別して、前記非接触ＩＣカードが前記目視データ処理手段に対して正しい搬送状態にあるか否かを判断するカード方向判別手段を備え、前記目視データ処理手段が、前記カード方向判別手段で正しい搬送状態にあると判断された非接触ＩＣカードに対してのみ目視データの表示処理を行う構成とする。


【手続補正６】
【補正対象書類名】明細書
【補正対象項目名】００２４
【補正方法】変更
【補正の内容】
【００２４】
また、前記搬送経路上の非接触ＩＣカードに対して、前記ＩＣに記憶された記憶データの処理を非接触で行う記憶データ処理手段を備え、前記目視データ処理手段が、前記記憶データ処理手段で処理された記憶データに応じて目視データの表示処理を行う構成としてもよい。


【手続補正７】
【補正対象書類名】明細書
【補正対象項目名】００３１
【補正方法】変更
【補正の内容】
【００３１】
ＩＣカードシート５は、外部と非接触で交信してデータの記憶および更新を行う、導電フィルム等の導電体から成るアンテナ１６とＩＣ（図示せず）を備えるカード本体に相当するものであり、穴部１５を備える。穴部１５はＩＣカードシート５の略中央に設けられ、アンテナ１６は穴部１５の周囲を回周するように設けられている。なお、アンテナ部１６は、外部からの信号を受信可能な形状および位置に形成されればよく、穴部１５の周囲を回周する形状に限定されるものではない。


【手続補正８】
【補正対象書類名】明細書
【補正対象項目名】００８５
【補正方法】変更
【補正の内容】
【００８５】
本発明の非接触ＩＣカード処理装置は、磁気媒体層に基づいて、非接触ＩＣカードの表裏面およびその方向を判別して正しい状態で搬送されているかを判断するカード方向判別手段を設けたことにより、非接触ＩＣカードの表示部に対する磁気式の目視データの表示処理を正確に行うことが可能となる。